(57)【要約】本発明は複数段の中空梯子柱（２，３）と踏み棒（４）とを有する伸縮梯子に関する。梯子柱は複数段に分割されて各段の柱が互いに入れ子状に組まれ、各段で左右一対の柱が頂部で踏み棒により互いに連結されて上下に位置する複数の梯子段を形成している。各段の踏み棒（４）は両端部に保持機構（６）を内蔵し、保持機構はロックピン（８）により上段側の梯子柱の下部を互いに連設された二段の離間位置又は作動位置でロックし、また上段側の梯子段の挿入を可能とするように解放可能となっている。本発明によれば、保持機構は踏み棒（４）同士の間の空間の外側から好ましくは梯子の正面側で操作でき、各段毎に個々に手動で解放できるように構成されている。またロック状態におけるロックピン（８）はロック中の梯子柱の中空内部空間（９）内に突出して上段側の後続梯子柱の通過を阻止するように構成されており、ロック部分に安全機構を形成している。
2004522882.tif 000002
【特許請求の範囲】
【請求項１】
複数段の中空梯子柱（２，３）と踏み棒（４）とを有する伸縮梯子（１）であって、梯子柱が複数段に分割されて各段の柱が互いに入れ子状に組まれ、各段で左右一対の柱が頂部で踏み棒により互いに連結されて互いに上下に位置する複数の梯子段（２ａ〜２ｄ，３ａ〜３ｄ）を形成し、各段の踏み棒（４）が両端部に保持機構（６）を内蔵し、保持機構がスプリングで付勢されたロックピン（８）により上段側の梯子柱の下部を互いに連設された二段の離間位置又は作動位置でロックし、梯子柱の入れ子内部位置には前記ロックピン（８）が嵌入するロック穴（１１）が設けられ、前記保持機構（６）が上段側の梯子段の挿入を可能とするように解放可能であるものにおいて、
前記保持機構（６）が踏み棒（４）同士の間の空間の外側から梯子の正面側で操作できるように配置されていると共に各段毎に個々に手動で両側とも解放できるように構成されていることと、ロック状態においてはロックピン（８）がロック部分に上段側の梯子柱の通過を阻止する安全機構を形成するようにロック中の梯子柱の中空内部空間（９）内にまで挿入されていることを特徴とする伸縮梯子。
【請求項２】
最上段及び最下段の踏み棒（４）が据え付けの踏み棒であり、最下段の踏み棒が最下段の梯子柱の下部に配置され、最下段の梯子段のみが前記最下段の踏み棒とその上部の踏み棒との二段の踏み棒を備えていることを特徴とする請求項１に記載の伸縮梯子。
【請求項３】
保持機構（６）が操作部として回動ボタン（１０）又はスライドボタン（１０’）を有することを特徴とする請求項１に記載の伸縮梯子。
【請求項４】
回動ボタン（１０）を有する保持機構（６）における回動ボタンが踏み棒（４）の正面側の開口部（１４）から露出していると共に梯子柱と平行にシェル（７）内のスピンドル（１５）に回動可能に装着され、該回動ボタン（１０）は略Ｌ字形状のものであってその一方のアーム部が保持機構のロック状態において前記開口部から斜めに突出するのに対して他方のアーム部は丸味をつけた二股状のカム形状でロックピン（８）の一対のフランジ状従動子（１６）の間の軸部を保持しており、前記ロックピン（８）は前記シェル内に変位可能に装着されて圧縮スプリング（１３）により予付勢され、該圧縮スプリングはロックピンの外周に被せられて尾端部がベアリングアイ（１７）により支持され、該ベアリングアイは前記シェルに接合されていてロックピンの尾端部側を受け入れており、前記圧縮スプリングの先端部は前記フランジ状従動子（１６）の一方に当接し、前記ロックピンは先端部でロック穴（１１）を貫通して梯子柱の内部空間にまで延在可能であり、前記圧縮スプリング（１３）は、ロックピンを常に前記ロック状態に変位させてロックピンをロック状態に維持しようとするものであると共に、前記回動ボタンがシェル内に押し込まれたときには圧縮されてロックピンをロック穴から引き戻し、その段の梯子柱をその下段の梯子段の柱の中へ下降移動可能とするように構成されていることを特徴とする請求項１に記載の伸縮梯子。
【請求項５】
スライドボタン（１０’）を有する保持機構（６）における踏み棒の正面の開口部（１４’）がスライドボタンを踏み棒の長手方向へ変位可能に受け入れており、ロックピン（８）の外周に被せられた圧縮スプリング（１３’）の先端部がロックピン上のフランジ状従動子（１６’）に当接し、該フランジ状従動子の側部が前記スライドボタンで駆動されるように構成され、前記保持機構はその作動状態が視覚表示されるように構成され、ロックピンが踏み棒内方に引き込まれた際に移動するスライドボタン（１０’）の下から現れて外部から見えるようになる踏み棒部分領域（１８）を赤色などの或る色で視覚表示し、ロックピンがロック状態にあるときに外部から見えるようになるスライドボタン移動方向の逆側の踏み棒部分領域（１９）を緑色などの別の色で視覚表示できるように構成したことを特徴とする請求項１に記載の伸縮梯子。
【請求項６】
ロックピンが踏み棒から突き出されているときに操作部（１０’）によって覆い隠されている踏み棒上の部分領域が踏み棒内部へのロックピンの引き込み際して赤色で外部に現れることによりロックピンの状態が視覚表示されるように構成され、ロックピンがロック状態にあるときに外部から見えるようになる操作部移動方向の逆側の踏み棒部分に緑色の領域が設けられていることを特徴とする請求項１に記載の伸縮梯子。
【請求項７】
梯子柱のロック穴（１１）が設けられている領域が、入れ子状に挿入されている下段の梯子段からの抜けだしを防止するように構成された外周安全リング（１２）によって囲まれていることを特徴とする請求項１に記載の伸縮梯子。
【請求項８】
誤操作により或いは意図的に二段分の踏み棒の段間間隔の間の量に相当する伸長量を得るように或る中間段の両側の操作部（１０’）を操作した際にこの操作段の直上段に位置するロック解除された梯子段が重力で下段へ向かって下降しても前記操作段の次の下段のロックピンが梯子段を押し下げる際の縮長制限要素として機能し、該縮長制限要素が機能した状態では二段の踏み棒が１５ｃｍ程度の安全間隔で離れた状態を維持して梯子の急短縮動作による怪我を回避できるように構成され、更に各段の踏み棒が踏み棒自体の保持機構又は直下段の踏み棒のいずれかで固定状態に保持されて種々の状態で使用又は荷重をかけることが可能に構成されていることを特徴とする請求項１に記載の伸縮梯子。
【発明の詳細な説明】
【技術分野】
【０００１】
本発明は、請求項１の前分部分に述べた形式の伸縮梯子に関するものである。
【０００２】
このような伸縮梯子は、限られたスペースでの収納及び輸送を可能とするために伸縮可能な複数段の梯子柱を有している。
【背景技術】
【０００３】
この種の梯子の一例は特許文献１に記載されている。梯子柱は対構成で複数段に分割されており、各対の梯子柱の間には両端に留め具を備えた梯子踏み棒が配置され、各段の梯子柱は上段ほど小径となり、下段ほど大径となっている。この公知の伸縮梯子の特徴は、或る段の踏み棒が隣接する下段の踏み棒へ向けて押し下げられた際に各段の踏み棒内部の保持機構がその段の梯子柱のロックを解放して次の上段の踏み棒に結合するように構成されていることにある。即ちこれは、最初の解放可能な踏み棒の解放操作に続いて次段以下の踏み棒が自動的に解放されて梯子が短縮されることを意味するが、これは、事故、特に不本意な急短縮動作による怪我を招く危険がある。この公知の保持機構は人がそれを操作することを可能又は奨励しており、これは、前述のような悲惨な結果を引き起こすことになりかねない。また、たとえそのような操作が行われないにしても、材質の機能上その他の経年劣化が同様の危険及び結末を引き起こすこともある。更に、少なくとも危険を伴わずには梯子の長さを中間的な位置に調節することは不可能である。
【０００４】
【特許文献１】
欧州特許出願公開第０５２７７６６号明細書
【０００５】
特許文献２は、入れ子式の梯子段を備えた液圧伸長式消防梯子（Ａ）のためのロック装置に関するものである。各踏み棒（Ｎ）の両端部には受動ボルト（ｃ）が定常位置に取り付けられており、これらボルトは圧縮スプリングで予圧縮可能で、また圧縮スプリングはシリンダ（ｂ）で付勢可能であり、各段の梯子柱の下部径方向穴に受動ボルトが貫通されている。整合する踏み棒内に受動ボルトが進入する部分には梯子全体の完全な短縮化を防止するような障害物が存在せず、従って短縮時には各段の踏み棒同士が互いに衝合してしまい、これが急短縮動作等による怪我を招くことになる。
【０００６】
【特許文献２】
西独国特許第７３７６８号明細書
【０００７】
特許文献３は、前記特許文献２における梯子段構造と同様の入れ子式梯子段を備えた梯子に関するものであるが、この梯子は自動的にロック方向に作動するようにスプリングで負荷されたボルト（１０）を備えている。この構成も上述の欠点を有している。
【０００８】
【特許文献３】
米国特許第２１９４８５６号明細書
【０００９】
特許文献４も入れ子式の梯子段（１０）を備えた梯子に関し、その各踏み棒（１３）には各段の踏み棒で両端の保持機構をワイヤにより同時に解放するように構成された押ボタン（３１）が設けられている。個々の踏み棒の押ボタンの一つを一度でも叩くとロック装置が故障する可能性がある。その結果、その図３による複雑な梯子段は短縮動作を行ってしまい、上述の危険が生じることになる。
【００１０】
【特許文献４】
米国特許第４９８９６９２号明細書
【００１１】
上述のいずれの公知例においても梯子の長さは常に伸長梯子段の数に対応し、これは二段分の伸長梯子長の間の梯子長が実現不可能だからである。
【発明の開示】
【発明が解決しようとする課題】
【００１２】
本発明の課題は、前述の欠点及び危険を可能な限り抑制及び解消することである。本発明はまた、特に急短縮動作による怪我、即ちロックを解放された踏み棒同士が実際に押し付け合って結果的に手や足が押し潰されることなどに対する付加的な安全策も提供するものである。更に隣接する梯子段ロック位置の間に位置する新たな踏み棒レベルを確立して梯子の長さを通常の伸長梯子段のロック手段で可能な長さ以外にも変えることができるようにすることも望ましいことである。
【課題を解決するための手段】
【００１３】
本発明によれば、上述の課題は冒頭に述べた形式の梯子を主に請求項１の特徴部分に記載したように構成することにより解決される。
【発明を実施するための最良の形態】
【００１４】
本発明の特徴及び利点を添付図面を参照して詳述すれば以下の通りである。尚、これらの図面は本発明の好適な実施形態を示すものであり、本発明を限定するものではない。
【００１５】
図中、本発明による伸縮梯子１は全体的に示されている。また、中空梯子柱２及び３と踏み棒４及び４ａ〜４ｉもそれぞれ全体をそっくり示してあり、各段の踏み棒はそれぞれ一対ずつの中空梯子柱の間に配置され、踏み棒両端のリング部を介してこれら一対の梯子柱を橋絡状に相互連結している。互いに入れ子式に分割された各梯子段の左右の柱にはそれぞれ符号２ａ〜２ｄと３ａ〜３ｄを付してある。各段における左右の梯子柱は、それぞれリング部によって柱の頂部に連結される踏み棒によって対構成を成している。また最下部の梯子段には好ましくは下部に固定踏み棒４ｉが取り付けられ、付加的な下部踊り場を与えると共に最下部の梯子段の構造安定性を高めるようにする。
【００１６】
各段の踏み板は好ましくは押し出し成形されたアルミニウム形材５からなり、それぞれの両端部には、前記形材に例えば圧入によって内挿されたシェル７を含む保持機構６が内蔵されている。尚、最上部の梯子段の踏み棒には保持機構が無くても良い。
【００１７】
図１〜図６では操作部として回動ボタン１０を有する保持機構６が示されているが、その他の図では操作部としてスライドボタン１０’を有する保持機構６を示している。
【００１８】
図３〜図６に示す保持機構６において、回動ボタン１０は踏み棒４の正面に設けられた開口部１４から露出しており、シェル７内で梯子柱と平行なスピンドル１５に回動可能に取り付けられている。回動ボタン１０は略Ｌ字形状であり、Ｌ字の一方のアーム端は保持機構が保持位置になると前記開口部から傾斜状に突出した回動位置をとり、他方のアーム端は例えば二股フォーク状の丸いカムとなっていて、ロックピン８をその二箇所のフランジ状従動子１６の間の部分で掴んでいる。ロックピン８はシェル内に軸方向移動可能に取り付けられ、ロックピンを囲む圧縮スプリング１３によって予付勢されている。このスプリングは、ロックピンの尾端部を軸受するようにシェルに支持されたベアリングアイ１７によって一端部が支承され、他端部はフランジ状従動子１６の一方で支承されている。各段のロックピン８は、各段において入れ子状に挿入された直上段の中空梯子柱に設けられているロック穴１１を通して該直上段の中空梯子柱の内部空間９まで嵌入するように柱の径方向へ突き出し可能である。圧縮スプリング１３は常にロックピンをこの突き出し方向へ移動させて回動ボタンを前記回動位置に維持させようとしている。回動ボタンをシェル内へ押し込むとスプリングが撓められてロックピンがロック穴から抜け出し、それにより入れ子構造の梯子段を下部の隣接梯子段の中に押し下げることが可能となる。
【００１９】
図７〜図１０の変形例によるスライドボタン１０’は上述とほぼ同様に作用し、対応する保持機構も機能的に同様に構成されている。但し、スライドボタンを移動させるために踏み棒正面に設けられている開口部１４’は踏み棒長手方向の長穴となっている。また、圧縮スプリング１３’の一端部はロックピンのフランジ部１６’に当接し、他端部はスライドボタンで駆動されるように構成されている。
【００２０】
図１３に示す状態では梯子が最大長で使用可能な状態にあり、各段の踏み棒両端のロックピン８は、各々の段で直上段の踏み棒をその直下の段の梯子柱に安全にロックすべく、入れ子状態の直上段の中空梯子柱の内部空間９に嵌入している。この場合、各段のロックピンはそれぞれの圧縮スプリングによって常に付勢されており、圧縮スプリングがロックピン尾端部を押してロック穴から入れ子状態の直上段の中空梯子柱の内部空間に嵌入するように突き出させていることにより、梯子の伸長状態の安全性が保証されている。尚、このようなロックピンの安全ロック状態及び不完全ロック状態を視覚表示できるようにしてもよく、これは、図９に示すようにロックピンが安全ロック状態から踏み棒内方に引き込まれた際に移動するスライドボタン１０’の下から露呈して外部から見えるようになる踏み棒正面の部分領域１８を例えば赤色で目立つようにしておき、操作部の移動方向の逆側の部分領域１９、即ちロックピンが踏み棒端部で外側へ突き出されて安全ロック状態にあるときに外部から見えるようになる領域を例えば緑色にしておくことで達成できる。
【００２１】
図１４に示す状態では最下段の直上にある下から二段目の踏み棒における両側の保持機構がスライドボタンを互いに近づく方向へ移動させてロックを解除されており、この状態では両側のロックピンはそれぞれ入れ子状態の直上段の梯子柱のロック穴から抜け出して下方にスライドした位置となり、スプリングの力で直上段の梯子柱の外面に押し付けられた状態になっている。従って下から二段目の梯子柱は三段目の踏み棒が二段目の踏み棒に下面で当接するまで下向きにスライドした状態となっている。この場合、使用者は必ず両手で梯子柱の外周面を掴んで左右の親指を両側のスライドボタンに重ねてスライド操作するから、梯子段を縮める際に当接する踏み棒の間に手指を挟んで怪我をするような事故を起こす危険はない。
【００２２】
このようにして、図１５及び図１６に示すように下から一段ずつロックを解除して下向きにスライドさせ、全段を縮めることができる。
【００２３】
梯子を伸長させるには、下から三段目の踏み棒、即ち操作部付き踏み棒のうちでは下から二番目のものを最初に上向きに引き上げ操作するが、その際にはいずれの段の保持機構の操作部にも手を触れる必要はない。即ち、三段目の踏み棒と共に上向きにスライド移動する梯子柱のロック穴が直下段のロックピン先端位置に重なると直ちに該ロックピンが三段目の梯子柱のロック穴にスナップ嵌合して三段目をロックする。同様にして全段若しくは必要な段のみを引き上げ操作すれば所要の伸長状態が得られることになる。
【００２４】
尚、ロック穴１１は各段の左右梯子柱に設けられていて、それぞれ直下段の保持機構のロックピンが嵌入できるように構成されており、またロック穴が設けられている領域では左右の梯子柱の外周面が直下段の踏み棒両端の安全リング部１２によって囲まれており、このリング部は、個々の梯子段において直上段の左右の梯子柱が入れ子状態から抜出されてしまうのを防止するように構成されている。
【００２５】
例えば誤操作によって、或いは意図的に二段分の踏み棒の段間間隔の間の量に相当する伸長量を得ようする場合、梯子のどこか中間段の左右の保持機構を操作すれば該保持機構の上部の梯子柱が重力で下降し、但しこの下降は次の下段の保持機構までで止まることになる。即ち、この状態では下段の保持機構のロックピンがスプリングによって二段分の重なった梯子柱の内部空間９に突き出され、従って或る梯子段を押し下げる際の縮長制限要素として機能している。この状態では、二段の踏み棒が例えば５〜１５ｃｍ程度の安全な間隔で離れており、従って場合によっては起こり得る梯子の急短縮動作で踏み棒同士が接するように動いた場合の挟み込みによる怪我を安全に回避することができる。このような状態を図１７に示してある。以上の他にも、本発明による伸縮梯子は、各段の踏み棒が踏み棒自体の保持機構又は直下段の保持されている踏み棒のいずれかで固定状態に保持されるので、図示の全ての状態で安全に昇降できると共に種々のやり方で安全に荷重をかけることができる。
【００２６】
本発明は以上に説明及び図示した実施形態に限定されるものではなく、本発明の基本理念及び特許請求の範囲の範疇において随意に追加及び変形可能である。
【図面の簡単な説明】
【００２７】
【図１】最短状態の本発明による梯子の正面図である。
【図２】図１における梯子を上面がら見た平面図である。
【図３】図１における入れ子の梯子柱を省いて個々の踏み棒端部留め具の内部に配置されている付勢状態の保持機構の内部構成をそのロックピンが非ロック位置にある状態で示すＩＩＩ−ＩＩＩ線矢視部分の内部構成図である。
【図４】図３における踏み棒端部留め具の内部に入れ子梯子柱が挿入された状態を示す部分縦断面図である。
【図５】図３に対応して、ロックピンが梯子柱に対してロック位置にある様子を示す内部構成図である。
【図６】図４に対応して、梯子柱がロックされている状態の部分縦断面図である。
【図７】操作部として回動ボタンに代えてスライドボタンを備えた保持機構の変形例を示す部分縦断面図である。
【図８】同じく図７の保持機構部分の下面側からみた内部構成図である。
【図９】同じく図７の保持機構部分の部分正面図である。
【図１０】図８のＸ−Ｘ線矢視部分の断面図である。
【図１１】おおむね図７〜１０によるスライドボタンを両端部の留め具近傍に備えた踏み棒を上面側から示す斜視図である。
【図１２】同じく踏み棒を下面側から示す斜視図である。
【図１３】本発明による梯子の安全な最長状態における様子を模式的に示す正面図である。
【図１４】同じく安全な中間長状態における様子を模式的に示す正面図である。
【図１５】同じく安全な別の中間長状態における様子を模式的に示す正面図である。
【図１６】同じく最短状態における様子を模式的に示す正面図である。
【図１７】同じく安全な更に別の中間長状態における様子を模式的に示す正面図である。
【国際公開パンフレット】
2004522882.tif 000003
2004522882.tif 000004
2004522882.tif 000005
2004522882.tif 000006
2004522882.tif 000007
2004522882.tif 000008
2004522882.tif 000009
2004522882.tif 000010
2004522882.tif 000011
2004522882.tif 000012
2004522882.tif 000013
2004522882.tif 000014
2004522882.tif 000015
2004522882.tif 000016
2004522882.tif 000017
2004522882.tif 000018
2004522882.tif 000019
2004522882.tif 000020
2004522882.tif 000021
2004522882.tif 000022
2004522882.tif 000023
【手続補正書】
【提出日】平成16年2月12日(2004.2.12)
【手続補正１】
【補正対象書類名】特許請求の範囲
【補正対象項目名】全文
【補正方法】変更
【補正の内容】
【特許請求の範囲】
【請求項１】
複数段の中空梯子柱（２，３）と踏み棒（４）とを有する伸縮梯子（１）であって、梯子柱が複数段に分割されて各段の柱が互いに入れ子状に組まれ、各段で左右一対の柱が頂部で踏み棒により互いに連結されて互いに上下に位置する複数の梯子段（２ａ〜２ｄ，３ａ〜３ｄ）を形成し、各段の踏み棒（４）が両端部に保持機構（６）を内蔵し、保持機構がスプリングで付勢されたロックピン（８）により上段側の梯子柱の下部を互いに連設された二段の離間位置又は作動位置でロックし、梯子柱の入れ子内部位置には前記ロックピン（８）が嵌入するロック穴（１１）が設けられ、前記保持機構（６）が上段側の梯子段の挿入を可能とするように解放可能であるものにおいて、
前記保持機構（６）が踏み棒（４）同士の間の空間の外側から梯子の正面側で操作できるように配置されていると共に各段毎に個々に手動で両側とも解放できるように構成されていることと、ロック状態においてはロックピン（８）がロック部分に上段側の梯子柱の通過を阻止する安全機構を形成するようにロック中の梯子柱の中空内部空間（９）内にまで挿入されていることと、誤操作により或いは意図的に二段分の踏み棒の段間間隔の間の量に相当する伸長量を得るように或る中間段の両側の操作部（１０’）を操作した際にこの操作段の直上段に位置するロック解除された梯子段が重力で下段へ向かって下降しても前記操作段の次の下段のロックピンが梯子段を押し下げる際の縮長制限要素として機能し、該縮長制限要素が機能した状態では二段の踏み棒が１５ｃｍ程度の安全間隔で離れた状態を維持して梯子の急短縮動作による怪我を回避できるように構成されていることと、更に各段の踏み棒が踏み棒自体の保持機構又は直下段の踏み棒のいずれかで固定状態に保持されて種々の状態で使用又は荷重をかけることが可能に構成されていることを特徴とする伸縮梯子。
【請求項２】
最上段及び最下段の踏み棒（４）が据え付けの踏み棒であり、最下段の踏み棒が最下段の梯子柱の下部に配置され、最下段の梯子段のみが前記最下段の踏み棒とその上部の踏み棒との二段の踏み棒を備えていることを特徴とする請求項１に記載の伸縮梯子。
【請求項３】
保持機構（６）が操作部として回動ボタン（１０）又はスライドボタン（１０’）を有することを特徴とする請求項１に記載の伸縮梯子。
【請求項４】
回動ボタン（１０）を有する保持機構（６）における回動ボタンが踏み棒（４）の正面側の開口部（１４）から露出していると共に梯子柱と平行にシェル（７）内のスピンドル（１５）に回動可能に装着され、該回動ボタン（１０）は略Ｌ字形状のものであってその一方のアーム部が保持機構のロック状態において前記開口部から斜めに突出するのに対して他方のアーム部は丸味をつけた二股状のカム形状でロックピン（８）の一対のフランジ状従動子（１６）の間の軸部を保持しており、前記ロックピン（８）は前記シェル内に変位可能に装着されて圧縮スプリング（１３）により予付勢され、該圧縮スプリングはロックピンの外周に被せられて尾端部がベアリングアイ（１７）により支持され、該ベアリングアイは前記シェルに接合されていてロックピンの尾端部側を受け入れており、前記圧縮スプリングの先端部は前記フランジ状従動子（１６）の一方に当接し、前記ロックピンは先端部でロック穴（１１）を貫通して梯子柱の内部空間にまで延在可能であり、前記圧縮スプリング（１３）は、ロックピンを常に前記ロック状態に変位させてロックピンをロック状態に維持しようとするものであると共に、前記回動ボタンがシェル内に押し込まれたときには圧縮されてロックピンをロック穴から引き戻し、その段の梯子柱をその下段の梯子段の柱の中へ下降移動可能とするように構成されていることを特徴とする請求項１に記載の伸縮梯子。
【請求項５】
スライドボタン（１０’）を有する保持機構（６）における踏み棒の正面の開口部（１４’）がスライドボタンを踏み棒の長手方向へ変位可能に受け入れており、ロックピン（８）の外周に被せられた圧縮スプリング（１３’）の先端部がロックピン上のフランジ状従動子（１６’）に当接し、該フランジ状従動子の側部が前記スライドボタンで駆動されるように構成され、前記保持機構はその作動状態が視覚表示されるように構成され、ロックピンが踏み棒内方に引き込まれた際に移動するスライドボタン（１０’）の下から現れて外部から見えるようになる踏み棒部分領域（１８）を赤色などの或る色で視覚表示し、ロックピンがロック状態にあるときに外部から見えるようになるスライドボタン移動方向の逆側の踏み棒部分領域（１９）を緑色などの別の色で視覚表示できるように構成したことを特徴とする請求項１に記載の伸縮梯子。
【請求項６】
ロックピンが踏み棒から突き出されているときに操作部（１０’）によって覆い隠されている踏み棒上の部分領域が踏み棒内部へのロックピンの引き込み際して赤色で外部に現れることによりロックピンの状態が視覚表示されるように構成され、ロックピンがロック状態にあるときに外部から見えるようになる操作部移動方向の逆側の踏み棒部分に緑色の領域が設けられていることを特徴とする請求項１に記載の伸縮梯子。
【請求項７】
梯子柱のロック穴（１１）が設けられている領域が、入れ子状に挿入されている下段の梯子段からの抜けだしを防止するように構成された外周安全リング（１２）によって囲まれていることを特徴とする請求項１に記載の伸縮梯子。
【国際調査報告】
2004522882.tif 000024
2004522882.tif 000025
2004522882.tif 000026